(57)【特許請求の範囲】
【請求項１】
開口を有したグラウンド導体を配したグラウンド層と、信号配線を配した信号配線層とを絶縁材層を介して積層した印刷配線板であって、
互いに重ならない３つの三角形の組合せからなる一つの前記開口を繰り返し、
前記グラウンド導体面上を分割する、前記開口の繰り返しの一単位の矩形状の升目を仮想し、
当該升目の四辺を、一組の対辺である第１辺及び第２辺と、他の一組の対辺である第３辺及び第４辺として、第１辺及び第２辺を結び当該升目を２つの四角形に分ける分割線分を仮想し、前記３つの三角形を第１三角形、第２三角形、第３三角形とし、前記分割線分に平行な方向をＸ方向、これに垂直な方向をＹ方向としたとき、
前記開口は、
第１三角形の底辺が前記分割線分を含み、
第２三角形の底辺と第３三角形の底辺とが第１三角形の前記底辺を分割した２線分に相等し、
第１三角形が第３辺又は第４辺に一頂点を置き、
第２三角形及び第３三角形が、互いにかつ第１三角形の前記一頂点ともＸ方向に異なる位置で第３辺又は第４辺であって第１三角形の前記一頂点が置かれない方に一頂点を置き、
第１三角形、第２三角形及び第３三角形は、いずれの頂点も前記升目の角点から外れ、
前記開口の繰り返しの配列は、
複数の前記開口がＹ方向に列をなし、
前記列はＸ方向に複数が並び、
複数の前記列は、隣り合う列の前記分割線分同士がＹ方向に離間するようにＹ方向にずれており、
同一列に属する前記開口は同方向に配向する規律に従っている印刷配線板。
【請求項２】
前記升目は正方升目である請求項１に記載の印刷配線板。
【請求項３】
前記分割線分は第１辺の中点と第２辺の中点とを結ぶ請求項１又は請求項２に記載の印刷配線板。
【請求項４】
隣り合う前記列同士では、開口の方向が同方向である請求項１から請求項３のうちいずれか一に記載の印刷配線板。
【請求項５】
隣り合う前記列同士では、開口の方向が逆方向である請求項１から請求項３のうちいずれか一に記載の印刷配線板。
【請求項６】
前記隣り合う列の分割線分同士のＹ方向のずれは、第１辺の２分の１の長さである請求項１から請求項５のうちいずれか一に記載の印刷配線板。
【請求項７】
第１三角形は前記一頂点で直角をつくる直角二等辺三角形である請求項１から請求項６のうちいずれか一に記載の印刷配線板。
【請求項８】
第２三角形及び第３三角形は前記一頂点を共有する２辺の長さが等しい二等辺三角形である請求項１から請求項７のうちいずれか一に記載の印刷配線板。
【請求項９】
第１三角形の前記底辺の端部が前記分割線分の端から延出していることにより、前記開口は隣の列の升目を侵食している請求項１から請求項８のうちいずれか一に記載の印刷配線板。
【発明の詳細な説明】
【技術分野】
【０００１】
本発明は、グラウンド導体を配したグラウンド層と、信号配線を配した信号配線層とを絶縁材層を介して積層した印刷配線板に関する。
【背景技術】
【０００２】
一般に、グラウンド導体は、電磁シールド効果が高く、グラウンド層に絶縁材層を介して隣接する信号配線のインピーダンス計算の容易さから、ベタが理想である。
フレキシブル印刷配線板では、折り曲げを容易にするため、グラウンド導体にメッシュ状の開口を設けることが一般的で、リジッド印刷配線板では、膨れ防止のガス抜き孔や熱プレス時の層間厚調整の樹脂流れ制御を目的に、グラウンド導体に開口を設けることが一般的である。特許文献１−３にあっては、インピーダンス等の特性をコントロールするためにグラウンド導体に四角形の開口を設ける。
【先行技術文献】
【特許文献】
【０００３】
【特許文献１】特開２０１４−１１６５７４号公報
【特許文献２】特開平７−２３５７４１号公報
【特許文献３】特開２０１２−０９４６４６号公報
【発明の概要】
【発明が解決しようとする課題】
【０００４】
しかし従来の技術では以下のような問題があった。以下の３つの構成例を引き合いに説明する。
（構成例１）
例えば図２５に示すようにＸ軸もしくは、Ｙ軸に沿って互いに並行した信号配線１０１，１０１と、グラウンドメッシュ１０３とを絶縁材層を介して異なる層に配する。本構成例におけるグラウンドメッシュ１０３のメッシュパターンは、同じ大きさの四角形開口と四角形導体部とをＸ・Ｙ方向に交互に繰り返し、各四角形の頂点が共有されるパターンである。
このような構成であれば、Ｘ軸に平行な信号配線１０１に対して、一定の割合でグラウンドメッシュ１０３の導体部が交差する為、信号配線１０１のインピーダンスを安定させることが可能になる。
しかし、四角形導体部同士の接点１０３ａは、グラウンド導体同士の接続が弱い箇所となり、グラウンド導体が未接続となる可能性も高い。
その結果、リターンパスを適切に確保できなくなる。リターンパスを確保できないと、放射ノイズが発生するという問題もある。
また、Ｘ軸及びＹ軸に斜めの信号配線１０２ａ，１０２ｂのうち信号配線１０２ａはグラウンドメッシュ１０３の導体部との交差面積が小さく、信号配線１０２ｂのそれは大きい。そのため、斜め信号配線１０２ａ，１０２ｂでは上記信号配線１０１とは異なり、信号配線のインピーダンスが安定しない問題がある。
【０００５】
（構成例２）
図２６に示すように構成例２は、上記構成例１のグラウンドメッシュ１０３に対して四角形開口が小さいグラウンドメッシュ１０４を有した構成である。
信号配線１０１ａは、一定の割合でグラウンドメッシュ１０４の導体部が交差し、リターンパスを適切に確保できる。
しかし、信号配線１０１ｂは、開口の間のグラウンドメッシュ１０４の導体部を通るため、インピーダンスが信号配線１０１ａに対して異なってしまう。
斜め信号配線１０２ａ，１０２ｂにおいて、信号配線のインピーダンスが安定しない問題は依然として解決しない。
【０００６】
（構成例３）
図２７に示すように構成例３は、構成例１の変形例として、各四角形開口を自己の中心点回りに４５°配置転換して斜めに配置したグラウンドメッシュ１０５としたものである。
Ｘ軸に平行な信号配線１０１では、位置によってグラウンド導体と交差する割合が変わってしまう為、インピーダンスを一定にすることが難しい。
しかし、グラウンド導体については、導体部同士の接続がしっかりと取れるので、リターンパスの経路が確保できる。
斜め信号配線１０２ａ，１０２ｂにおいて、信号配線のインピーダンスが安定しない問題は依然として解決しない。
図は省略するが、四角形を多角形や円に変えても、本質的に状況は変わらない。
四角形や円などの単純な形状で、かつグラウンド層に絶縁材層を介して隣接する層の信号配線に対するグラウンド導体の開口率を一定にしようとすると、開口率を優先するあまり、リターンパスを確保できない場合がある。
いずれにしても、単純な開口形状では、信号配線が通る箇所に開口が全くない状況の回避は不可能である。
【０００７】
以上説明したように、グラウンド導体に単純な形状の開口を設けても、グラウンドのリターンパスを適切に確保できないことがある。リターンパスを確保できないと、放射ノイズが発生し、信号配線の電気特性が悪化するという問題がある。
信号配線の位置によって、積層方向に対向するグラウンド導体の交差面積が異なり、特性インピーダンスも場所によって異なってしまうという問題がある。
【０００８】
本発明は以上の従来技術における問題に鑑みてなされたものであって、開口を有したグラウンド導体を配したグラウンド層と、信号配線を配した信号配線層とを絶縁材層を介して積層した印刷配線板において、グラウンドのリターンパスを確保しつつ、配置によらず信号配線のインピーダンスを安定させることを課題とする。
【課題を解決するための手段】
【０００９】
以上の課題を解決するための請求項１記載の発明は、開口を有したグラウンド導体を配したグラウンド層と、信号配線を配した信号配線層とを絶縁材層を介して積層した印刷配線板であって、
互いに重ならない３つの三角形の組合せからなる一つの前記開口を繰り返し、
前記グラウンド導体面上を分割する、前記開口の繰り返しの一単位の矩形状の升目を仮想し、
当該升目の四辺を、一組の対辺である第１辺及び第２辺と、他の一組の対辺である第３辺及び第４辺として、第１辺及び第２辺を結び当該升目を２つの四角形に分ける分割線分を仮想し、前記３つの三角形を第１三角形、第２三角形、第３三角形とし、前記分割線分に平行な方向をＸ方向、これに垂直な方向をＹ方向としたとき、
前記開口は、
第１三角形の底辺が前記分割線分を含み、
第２三角形の底辺と第３三角形の底辺とが第１三角形の前記底辺を分割した２線分に相等し、
第１三角形が第３辺又は第４辺に一頂点を置き、
第２三角形及び第３三角形が、互いにかつ第１三角形の前記一頂点ともＸ方向に異なる位置で第３辺又は第４辺であって第１三角形の前記一頂点が置かれない方に一頂点を置き、
第１三角形、第２三角形及び第３三角形は、いずれの頂点も前記升目の角点から外れ、
前記開口の繰り返しの配列は、
複数の前記開口がＹ方向に列をなし、
前記列はＸ方向に複数が並び、
複数の前記列は、隣り合う列の前記分割線分同士がＹ方向に離間するようにＹ方向にずれており、
同一列に属する前記開口は同方向に配向する規律に従っている印刷配線板である。
【００１０】
請求項２記載の発明は、前記升目は正方升目である請求項１に記載の印刷配線板である。
【００１１】
請求項３記載の発明は、前記分割線分は第１辺の中点と第２辺の中点とを結ぶ請求項１又は請求項２に記載の印刷配線板である。
【００１２】
請求項４記載の発明は、隣り合う前記列同士では、開口の方向が同方向である請求項１から請求項３のうちいずれか一に記載の印刷配線板である。
【００１３】
請求項５記載の発明は、隣り合う前記列同士では、開口の方向が逆方向である請求項１から請求項３のうちいずれか一に記載の印刷配線板である。
【００１４】
請求項６記載の発明は、前記隣り合う列の分割線分同士のＹ方向のずれは、第１辺の２分の１の長さである請求項１から請求項５のうちいずれか一に記載の印刷配線板である。
【００１５】
請求項７記載の発明は、第１三角形は前記一頂点で直角をつくる直角二等辺三角形である請求項１から請求項６のうちいずれか一に記載の印刷配線板である。
【００１６】
請求項８記載の発明は、第２三角形及び第３三角形は前記一頂点を共有する２辺の長さが等しい二等辺三角形である請求項１から請求項７のうちいずれか一に記載の印刷配線板である。
【００１７】
請求項９記載の発明は、第１三角形の前記底辺の端部が前記分割線分の端から延出していることにより、前記開口は隣の列の升目を侵食している請求項１から請求項８のうちいずれか一に記載の印刷配線板である。
【発明の効果】
【００１８】
本発明によれば、３つの三角形の複合形状の開口とすることにより、同形状を連続配置しても開口同士が離間して開口間の導体部を確保できるため、グラウンドのリターンパスを確保できる。これにより放射ノイズの発生を抑制し、電気特性が向上する。
また、三角形形状により５０％の開口率を確保でき、開口の外形が６つの線分からなり、その線分の方向も様々な方向に設定できるから、信号配線層の信号配線の向きがどのようになっていても、積層方向に見て信号配線を開口と交差させることができる。
そのため、信号配線の配置に関わらず、信号配線毎のインピーダンス変動を最小限に抑えることが可能である。
以上のように、開口を有したグラウンド導体を配したグラウンド層と、信号配線を配した信号配線層とを絶縁材層を介して積層した印刷配線板において、グラウンドのリターンパスを確保しつつ、配置によらず信号配線のインピーダンスを安定させることができる。
【図面の簡単な説明】
【００１９】
【図１】本発明の第１実施形態に係る印刷配線板を示す断面図(a)及びグラウンド導体の平面図(b)である。
【図２】本発明の第１実施形態に係る印刷配線板を示す断面図(a)及びグラウンド導体の平面図(b)である。但し、グラウンド導体の開口の配列が図１とは異なるタイプである。
【図３】図１(a)及び図２(b)に記載の升目の一つを抜き出した拡大図である。
【図４】シミュレーション対象の印刷配線板の断面構造を示す断面図と、層厚及び電気的特性を記載した表とを併せたものである。
【図５】比較例１のグラウンド導体の拡大平面図である。
【図６】比較例１のグラウンド導体及び６本の信号配線の平面図である。
【図７】比較例１の１本の信号配線ごとのグラウンド導体と信号配線の平面図である。
【図８】比較例１の各信号配線のＴＤＲ波形を示すグラフである。
【図９】比較例１の各信号配線の透過特性（S21）を示すグラフである。
【図１０】比較例２のグラウンド導体の拡大平面図である。
【図１１】比較例２のグラウンド導体及び６本の信号配線の平面図である。
【図１２】比較例２の１本の信号配線ごとのグラウンド導体と信号配線の平面図である。
【図１３】比較例２の各信号配線のＴＤＲ波形を示すグラフである。
【図１４】比較例２の各信号配線の透過特性（S21）を示すグラフである。
【図１５】本発明例１Ａのグラウンド導体及び６本の信号配線の平面図である。
【図１６】本発明例１Ａの１本の信号配線ごとのグラウンド導体と信号配線の平面図である。
【図１７】本発明例１Ａの各信号配線のＴＤＲ波形を示すグラフである。
【図１８】本発明例１Ａの各信号配線の透過特性（S21）を示すグラフである。
【図１９】本発明例１Ｂのグラウンド導体及び６本の信号配線の平面図である。
【図２０】本発明例１Ｂの１本の信号配線ごとのグラウンド導体と信号配線の平面図である。
【図２１】本発明例１Ｂの各信号配線のＴＤＲ波形を示すグラフである。
【図２２】本発明例１Ｂの各信号配線の透過特性（S21）を示すグラフである。
【図２３】本発明の第２実施形態に係る印刷配線板を示すグラウンド導体の平面図である。
【図２４】本発明の第２実施形態に係る印刷配線板を示すグラウンド導体の平面図である。但し、グラウンド導体の開口の配列が図２３とは異なるタイプである。
【図２５】本発明の課題を説明するための構成例１に係るグラウンドメッシュと信号配線を示す平面図である。
【図２６】本発明の課題を説明するための構成例２に係るグラウンドメッシュと信号配線を示す平面図である。
【図２７】本発明の課題を説明するための構成例３に係るグラウンドメッシュと信号配線を示す平面図である。
【発明を実施するための形態】
【００２０】
以下に本発明の一実施形態につき図面を参照して説明する。以下は本発明の一実施形態であって本発明を限定するものではない。
【００２１】
〔第１実施形態〕
図１、図２に示すように本発明の第１実施形態の印刷配線板１Ａ，１Ｂは、開口２０を有したグラウンド導体Ｇを配したグラウンド層Ｌ２と、信号配線Ｓを配した信号配線層Ｌ１とを絶縁材層４を介して積層し、信号配線Ｓをソルダーレジスト５で被覆したものである。ソルダーレジスト５をＳＲ層とする。
図１(b)に示す印刷配線板１Ａと、図２(b)に示す印刷配線板１Ｂとでは、前者では開口２０の向きがすべて同じであるのに対し、後者では隣の列で開口２０の向きが逆向きである点のみ異なり、他は共通である。
【００２２】
グラウンド導体Ｇに形成されるパターンは、いずれの二つも互いに重ならない３つの三角形の組合せからなる一つの開口２０を繰り返すものである。
グラウンド導体Ｇの面上を分割する開口の繰り返しの一単位の矩形状の升目２１を仮想する。升目２１の一つを図３に示す。
開口２０の頂点と、升目２１の角点とを図３に示すようにａ‐ｋとする。
升目２１の四辺は、一組の対辺である第１辺ｇｈ及び第２辺ｉｋと、他の一組の対辺である第３辺ｇｋ及び第４辺ｈｉである。
第１辺ｇｈ及び第２辺ｉｋを結び升目２１を四角形ａｃｋｇと四角形ａｃｉｈとに分ける分割線分２２を仮想する。本実施形態では、升目２１は正方升目である。したがって、（辺ｇｈの長さ）＝（辺ｈｉの長さ）＝（辺ｉｋの長さ）＝（辺ｋｇの長さ）であり、（角ｋｇｈ）＝（角ｇｈｉ）＝（角ｈｉｋ）＝（角ｉｋｇ）＝９０度である。また、点ａは辺ｇｈの中点、点ｃは辺ｉｋの中点である。
一つの開口２０を構成する３つの三角形は、第１三角形ａｂｃ、第２三角形ａｅｆ、第３三角形ｃｅｄである。
分割線分２２に平行な方向がＸ方向、これに垂直な方向がＹ方向である。  
【００２３】
開口２０の形状は、以下の規律に従っている。
第１三角形ａｂｃの底辺ａｃが分割線分２２を含む。本実施形態では、底辺ａｃと分割線分２２は等しい。
第２三角形ａｅｆの底辺ａｅと第３三角形ｃｅｄの底辺ｃｅとが第１三角形ａｂｃの底辺ａｃを分割した線分ａｅと線分ｃｅに相等する。本実施形態では２等分であり、点ｅは線分ａｃの中点である。
第１三角形ａｂｃが第３辺ｋｇ又は第４辺ｈｉに一頂点ｂを置く。ここでは、一頂点ｂが置かれる方を第４辺ｈｉとする。
第２三角形ａｅｆ及び第３三角形ｃｅｄが、互いにかつ第１三角形ａｂｃの一頂点ｂともＸ方向に異なる位置で第３辺ｋｇに一頂点ｆ、一頂点ｄを置く。一頂点ｆ、一頂点ｄが置かれる辺は、第３辺ｋｇ又は第４辺ｈｉのうち一頂点ｂが置かれない方が選ばれる。
一頂点ｂ、一頂点ｆ及び一頂点ｄのＸ方向の位置がいずれも異なるので、図１(b)又は図２(b)に示すように開口２０を配列した場合に、Ｙ方向に隣接する開口間の間隙を確保でき、その間隙に導体を設けることができる。
第１三角形ａｂｃ、第２三角形ａｅｆ及び第３三角形ｃｅｄは、いずれの頂点も升目２１の角点ｇ，ｈ，ｉ，ｋから外れている。そのため、図１(b)又は図２(b)に示すように開口２０を配列した場合に、隣接する開口間の間隙を確保でき、その間隙に導体を設けることができる。
【００２４】
開口の繰り返しの配列は、以下の規律に従っている。
複数の開口２０，２０，２０・・・がＹ方向に列をなしている。そのため升目２１もＹ方向に列をなしている。
列はＸ方向に複数が並ぶ。図１(b)又は図２(b)には、４列Ｒ１，Ｒ２，Ｒ３，Ｒ４を示すが、必要列数が設けられる。一列内の開口数も同様に必要数が設けられる。
複数の列Ｒ１，Ｒ２，Ｒ３・・・は、隣り合う列（例えばＲ１とＲ２）の分割線分２２，２２同士がＹ方向に離間するようにＹ方向にずれている。本実施形態では、隣り合う列の分割線分２２，２２同士のＹ方向のずれは、第１辺ｇｈ（又は第２辺ｉｋでも同じ）の２分の１の長さである。これにより、隣接する開口間の間隙を均等に確保でき、その間隙に導体を設けることができる。
同一列（例えばＲ１）に属する開口２０は同方向に配向する規律に従っている。
【００２５】
本実施形態では、図１(b)に示す印刷配線板１Ａにあっては、列Ｒ１、列Ｒ２、列Ｒ３及び列Ｒ４のいずれも第１三角形が下向きである。すなわち、隣り合う列（例えばＲ１とＲ２）同士では、開口の方向が同方向である。
また、図２(b)に示す印刷配線板１Ｂにあっては、列Ｒ１及び列Ｒ３内で第１三角形が下向き、列Ｒ２及び列Ｒ４内で第１三角形が上向きである。すなわち、隣り合う列（例えばＲ１とＲ２）同士では、開口の方向が逆方向である。
印刷配線板１Ａ及び印刷配線板１Ｂのいずれでも同等の特性が得られる。
【００２６】
また本実施形態では、第１三角形ａｂｃは一頂点ｂで直角をつくる直角二等辺三角形である。すなわち、点ｂは辺ｈｉの中点である。
それに加え、第２三角形ａｅｆは一頂点ｆを共有する２辺ａｆとｅｆの長さが等しい二等辺三角形であり、第３三角形ｃｅｄは一頂点ｄを共有する２辺ｃｄとｅｄの長さが等しい二等辺三角形である。
これによりＹ方向に隣接する開口間の間隙を均等に確保でき、その間隙に導体を設けることができる。
【００２７】
以上のグラウンドパターンによれば、図１(b)又は図２(b)に示すように、Ｘ方向の信号配線Ｓ１，Ｓ２をＹ方向に所定間隙を隔てて並べたり、Ｙ方向の信号配線Ｓ３，Ｓ４をＸ方向に所定間隙を隔てて並べたり、Ｘ方向及びＹ方向に対して斜めの方向の信号配線Ｓ５，Ｓ６を所定間隙を隔てて並べたりと、様々な信号配線の配置を採用しても、積層方向に見たときの信号配線Ｓと開口２０との交差、信号配線Ｓとグラウンド導体Ｇとの交差について、各配線でのバラつきを抑えられる。信号配線Ｓ４では、配線幅を０と仮定しても列Ｒ１の開口２０と、列Ｒ２の開口に接触する。実際には配線幅は０ではないから、信号配線Ｓ４と開口２０との交差面積も確保できる。
以上の実施形態の印刷配線板１Ａ，１Ｂによれば、開口２０，２０同士が離間して開口間の導体部を確保できるため、グラウンドのリターンパスを確保できる。これにより放射ノイズの発生を抑制し、電気特性が向上する。
また、三角形形状により５０％の開口率を確保でき、開口の外形が６つの線分からなり、その線分の方向も様々な方向に設定できるから、信号配線層Ｌ１の信号配線Ｓの向きがどのようになっていても、積層方向に見て信号配線Ｓを開口２０と交差させることができる。そのため、信号配線Ｓの配置に関わらず、信号配線Ｓ毎のインピーダンス変動を最小限に抑えることが可能である。
以上のように、開口２０を有したグラウンド導体Ｇを配したグラウンド層Ｌ２と、信号配線Ｓを配した信号配線層Ｌ１とを絶縁材層４を介して積層した印刷配線板１Ａ，１Ｂにおいて、グラウンドのリターンパスを確保しつつ、配置によらず信号配線のインピーダンスを安定させることができる。
【００２８】
（シミュレーションの開示）
以上の印刷配線板１Ａ及び印刷配線板１Ｂと、比較例１，２の、ＴＤＲ波形と透過特性（S21）をシミュレーションにより求めた。
共通事項として、絶縁材にガラス布基材エポキシ樹脂を、導電材に銅を適用し、配線距離９ｍｍ間の特性をシミュレーションする。また、共通事項としての断面構造と、層厚と、電気的特性を図４に示した。
また以下の（１）〜（３）を共通の指針とする。
（１）リターンパスを確保する。
（２）開口率を５０％にする。
（３）線としての信号配線（幅は０と仮定）が、グラウンド導体の開口と交差する。 無理な場合に限り、最低限開口に接触する。
【００２９】
まず、比較例から説明する。比較例としては、従来の代表的な正方形の開口を有する比較例１と、円形の開口を有する比較例２とした。
比較例１のグラウンド導体の拡大平面図を図５に示す。升目２１は印刷配線板１Ａ，１Ｂと同じ配列である。升目２１に対して正方形開口１２０を小さくし開口率を５０％とした。開口１２０と接触し得ない信号配線Ｓ４が生じ得る。
シミュレーション対象の比較例１のグラウンド導体Ｇ及び６本の信号配線Ｓ１‐Ｓ６の平面図を図６に、１本の信号配線ごとのグラウンド導体Ｇと信号配線Ｓの平面図を図７に示す。
比較例１のＴＤＲ波形のシミュレーション結果を図８に、透過特性（S21）のシミュレーション結果を図９に示す。
【００３０】
比較例２のグラウンド導体の拡大平面図を図１０に示す。升目２１は印刷配線板１Ａ，１Ｂと同じ配列である。升目２１に対して円開口２２０を小さくし開口率を５０％とした。開口２２０と接触し得ない信号配線Ｓ４が生じ得る。
シミュレーション対象の比較例２のグラウンド導体Ｇ及び６本の信号配線Ｓ１‐Ｓ６の平面図を図１１に、１本の信号配線ごとのグラウンド導体Ｇと信号配線Ｓの平面図を図１２に示す。
比較例２のＴＤＲ波形のシミュレーション結果を図１３に、透過特性（S21）のシミュレーション結果を図１４に示す。
【００３１】
シミュレーション対象の本発明例の印刷配線板１Ａのグラウンド導体Ｇ及び６本の信号配線Ｓ１‐Ｓ６の平面図を図１５に、１本の信号配線ごとのグラウンド導体Ｇと信号配線Ｓの平面図を図１６に示す。
本発明例の印刷配線板１ＡのＴＤＲ波形のシミュレーション結果を図１７に、透過特性（S21）のシミュレーション結果を図１８に示す。
【００３２】
シミュレーション対象の本発明例の印刷配線板１Ｂのグラウンド導体Ｇ及び６本の信号配線Ｓ１‐Ｓ６の平面図を図１９（開口２０の寸法は図１５(b)に同じ）に、１本の信号配線ごとのグラウンド導体Ｇと信号配線Ｓの平面図を図２０に示す。
本発明例の印刷配線板１ＢのＴＤＲ波形のシミュレーション結果を図２１に、透過特性（S21）のシミュレーション結果を図２２に示す。
【００３３】
信号配線Ｓ１‐Ｓ６に交差する開口面積の差が、インピーダンスの差と相関する。図８に示す比較例１のＴＤＲ波形では信号配線Ｓ３と信号配線Ｓ４の平坦部分の差が最大であり、７．３Ωとなった。図１３に示す比較例２のＴＤＲ波形では信号配線Ｓ３と信号配線Ｓ４の平坦部分の差が最大であり、５．５Ωとなった。図１７に示す本発明例の印刷配線板１ＡのＴＤＲ波形では信号配線Ｓ３と信号配線Ｓ４の平坦部分の差が最大であるが、２．３Ωと比較例１，２に対して抑えられた。図２１に示す本発明例の印刷配線板１ＢのＴＤＲ波形では信号配線Ｓ３と信号配線Ｓ４の平坦部分の差が最大であるが、２．５Ωと比較例１，２に対して抑えられた。
以上のように比較例１，２に対して本発明例の方が信号配線Ｓ１‐Ｓ６でインピーダンスが安定することがわかった。比較例に対し本発明例では、インピーダンスの変動を、二分の一から三分の一に抑制できた。
【００３４】
〔第２実施形態〕
図２３、図２４に示すように本発明の第２実施形態の印刷配線板１Ｃ，１Ｄは、上記第１実施形態の印刷配線板１Ａ，１Ｂに対する変形形態である。
上記第１実施形態の印刷配線板１Ａ，１Ｂでは、第１三角形ａｂｃの底辺ａｃと升目２１の分割線分２２は等しくされた。
これに対し本実施形態の印刷配線板１Ｃ，１Ｄでは、第１三角形ａｂｃの底辺ａｃの端部が分割線分２２の端から延出していることにより、開口２０Ｂは隣の列の升目２１を侵食している。
上記第１実施形態の印刷配線板１Ａ，１Ｂでは、Ｙ方向の列と列の境界に配置される信号配線Ｓ４については、開口２０との交差面積が他の信号配線より小さくなり、インピーダンスも低下した。
これに対し本実施形態の印刷配線板１Ｃ，１Ｄでは、Ｙ方向の列と列の境界に配置される信号配線Ｓ４について、開口２０Ｂがその境界を渡ることにより、開口２０Ｂとの交差面積が他の信号配線のそれに近くなり、インピーダンスも他の信号配線と近くすることができる。
図２３、図２４に示す印刷配線板１Ｃ，１Ｄでは点ａ及び点ｃが隣の升目２１内に侵入する。第１三角形ａｂｃの底辺ａｃが升目２１の分割線分２２より拡大することにより、第２三角形ａｅｆの底辺ａｅと第３三角形ｃｅｄの底辺ｃｅも拡大する。
点ａが隣の升目２１内に侵入することにより、信号配線Ｓ４の開口２０Ｂとの交差面積を増加させる効果が得られる。同様に点ｃが隣の升目２１内に侵入することにより、信号配線Ｓ４の開口２０Ｂとの交差面積を増加させる効果が得られる。したがって、点ａ及び点ｃのうちいずれか一方が隣の升目２１内に侵入する形態を実施してもよい。
【００３５】
〔その他〕
以上の実施形態においては、升目２１を正方形としたが、升目を長方形やひし形に変形することなどは、開口率の変化は無く設計の自由度の範囲であり、適宜に設計して実施することができる。
また以上の実施形態に対して、点ａや点ｃをＹ方向にずらす、点ｂや点ｆ、点ｄをＸ方向にずらすことなども、開口率の変化は無く設計の自由度の範囲であり、適宜に設計して実施することができる。
本発明は以上の実施形態に拘わらず、計画される信号配線の配置に対応して、適宜に変更して実施することができる。製品における具体的な配線に合わせて、容易に最適なグラウンド導体Ｇの開口の形状と配置が実現できる。
【符号の説明】
【００３６】
１Ａ，１Ｂ    印刷配線板
１Ｃ，１Ｄ    印刷配線板
４     絶縁材層
５     ソルダーレジスト
２０   開口
２１   升目
２２   分割線分
Ｇ     グラウンド導体
Ｌ１   信号配線層
Ｌ２   グラウンド層
Ｒ１，Ｒ２，Ｒ３，Ｒ４      列
Ｓ     信号配線
【図１】
0006987700.tif 000002
【図２】
0006987700.tif 000003
【図３】
0006987700.tif 000004
【図４】
0006987700.tif 000005
【図５】
0006987700.tif 000006
【図６】
0006987700.tif 000007
【図７】
0006987700.tif 000008
【図８】
0006987700.tif 000009
【図９】
0006987700.tif 000010
【図１０】
0006987700.tif 000011
【図１１】
0006987700.tif 000012
【図１２】
0006987700.tif 000013
【図１３】
0006987700.tif 000014
【図１４】
0006987700.tif 000015
【図１５】
0006987700.tif 000016
【図１６】
0006987700.tif 000017
【図１７】
0006987700.tif 000018
【図１８】
0006987700.tif 000019
【図１９】
0006987700.tif 000020
【図２０】
0006987700.tif 000021
【図２１】
0006987700.tif 000022
【図２２】
0006987700.tif 000023
【図２３】
0006987700.tif 000024
【図２４】
0006987700.tif 000025
【図２５】
0006987700.tif 000026
【図２６】
0006987700.tif 000027
【図２７】
0006987700.tif 000028